(57)【要約】【課題】光ディスク装置において、データ記録時の記録ストラテジを最適化する。【解決手段】光ディスク装置のシステムコントローラ３２は、記録ストラテジとしてマルチパルスの先頭パルス幅、後続パルス幅、及び記録パワーを記録ストラテジとして選択し、先頭パルス幅及び後続パルス幅を変化させた複数の条件を設定する。複数の条件のうちの１つを開始条件として、この条件における仮最適記録パワーを探索する。その後、異なる条件でテストデータを記録する際に、照射エネルギが同一となるように仮最適記録パワーを変化させて記録し、ジッタ量が最小となる条件を最適条件とする。【選択図】図１
2006323884.tif 000002
【特許請求の範囲】
【請求項１】
光ディスクに応じた記録ストラテジでデータを記録する光ディスク装置であって、
前記記録ストラテジを構成する複数のパラメータの中の先頭パルス幅Ｔｔｏｐ、後続パルス幅Ｔｍｐをそれぞれ所定のＴｔｏｐ及び所定のＴｍｐとして記録パワーを変化させてテストデータを記録し、該テストデータを再生することで仮最適記録パワーを検出する手段と、
前記Ｔｔｏｐを固定し、前記Ｔｍｐを所定範囲内で段階的に変化させるとともに前記光ディスクに照射されるエネルギが同一となるように前記仮最適記録パワーを変化させてテストデータを記録し、該テストデータを再生することで最適後続パルス幅を検出する手段と、
前記最適後続パルス幅を固定し、前記Ｔｔｏｐを所定範囲内で段階的に変化させるとともに前記光ディスクに照射されるエネルギが同一となるように前記仮最適記録パワーを変化させてテストデータを記録し、該テストデータを再生することで最適先頭パルス幅を検出する手段と、
前記最適先頭パルス幅及び前記最適後続パルス幅を固定し、記録パワーを変化させてテストデータを記録し、該テストデータを再生することで最適記録パワーを検出する手段と、
前記最適先頭パルス幅、前記最適後続パルス幅及び前記最適記録パワーを最適記録ストラテジとしてデータを記録する手段と、
を有することを特徴とする光ディスク装置。
【請求項２】
光ディスクに応じた記録ストラテジでデータを記録する光ディスク装置であって、
前記記録ストラテジを構成する複数のパラメータの中の先頭パルス幅Ｔｔｏｐ、後続パルス幅Ｔｍｐをそれぞれ所定のＴｔｏｐ及び所定のＴｍｐとして記録パワーを変化させてテストデータを記録し、該テストデータを再生することで仮最適記録パワーを検出する手段と、
前記Ｔｍｐを固定し、前記Ｔｔｏｐを所定範囲内で段階的に変化させるとともに前記光ディスクに照射されるエネルギが同一となるように前記仮最適記録パワーを変化させてテストデータを記録し、該テストデータを再生することで最適先頭パルス幅を検出する手段と、
前記最適先頭パルス幅を固定し、前記Ｔｍｐを所定範囲内で段階的に変化させるとともに前記光ディスクに照射されるエネルギが同一となるように前記仮最適記録パワーを変化させてテストデータを記録し、該テストデータを再生することで最適後続パルス幅を検出する手段と、
前記最適先頭パルス幅及び前記最適後続パルス幅を固定し、記録パワーを変化させてテストデータを記録し、該テストデータを再生することで最適記録パワーを検出する手段と、
前記最適先頭パルス幅、前記最適後続パルス幅及び前記最適記録パワーを最適記録ストラテジとしてデータを記録する手段と、
を有することを特徴とする光ディスク装置。
【請求項３】
請求項１、２のいずれかに記載の装置において、
出現頻度が所定値以上である記録データ長の照射エネルギが同一となるように前記仮最適記録パワーを変化させることを特徴とする光ディスク装置。
【請求項４】
請求項３記載の装置において、
６Ｔ（Ｔは基準データ長）以下の記録データ長の照射エネルギが同一となるように前記仮最適記録パワーを変化させることを特徴とする光ディスク装置。
【発明の詳細な説明】
【技術分野】
【０００１】
本発明は光ディスク装置、特に記録ストラテジの最適化に関する。
【背景技術】
【０００２】
ＤＶＤ−Ｒ／＋ＲディスクやＤＶＤ−ＲＷ／＋ＲＷディスク、ＤＶＤ−ＲＡＭ等の記録可能な光ディスクにデータを記録する際に、光ディスクの内周側に設けられたテストエリアで試し書きを行い、記録ストラテジを最適化する技術が知られている。通常、光ディスクドライブの開発段階において、市場に提供されているあらゆる光ディスクに対して記録ストラテジを設定して光ディスクドライブ内の不揮発性メモリに記憶し、光ディスクの識別データＩＤを読み出して対応する記録ストラテジをメモリから読み出し設定することで記録ストラテジを最適化することができる。しかし、記録ストラテジがメモリに記憶されていない光ディスクも存在するため、このような光ディスクに対してはそのテストエリアで試し書きを行って最適記録ストラテジを探索する必要がある。
【０００３】
下記の特許文献には、記録ストラテジとして、マルチパルスでデータを記録する際の先頭パルスのパルス幅、後続パルスのパルス幅、及び記録パワーに着目し、これらの組み合わせを種々変化させて試し書きを行い、先頭パルスのパルス幅、後続パルスのパルス幅、及び記録パワーを最適化する技術が開示されている。
【０００４】
【特許文献１】特開２０００−２０７７４２号公報
【発明の開示】
【発明が解決しようとする課題】
【０００５】
しかしながら、記録ストラテジとして先頭パルスのパルス幅、後続パルスのパルス幅、及び記録パワーに着目して記録ストラテジの最適化を図ったとしても、全ての組み合わせを試すと探索に時間を要すると共に、テストエリアの領域を大きく確保する必要が生じる。したがって、たとえ記録ストラテジとして先頭パルスのパルス幅、後続パルスのパルス幅、及び記録パワーに限定したとしても、より効率的に最適記録ストラテジを探索する技術が望まれる。
【０００６】
なお、光ディスクドライブの開発後に市場に出回った光ディスクに対しては、当該光ディスクに対する最適記録ストラテジを含むファームウェアをネットを介してダウンロードしてメモリに追加記憶する等も考えられるが、ダウンロード自体が煩雑となる問題がある。
【０００７】
本発明の目的は、任意の光ディスク、特に予めドライブのメモリに最適記録ストラテジが記憶されていない光ディスクに対しても、短時間でかつ少ないテストエリアで記録ストラテジを最適化できる装置を提供することにある。
【課題を解決するための手段】
【０００８】
本発明は、光ディスクに応じた記録ストラテジでデータを記録する光ディスク装置であって、前記記録ストラテジを構成する複数のパラメータの中の先頭パルス幅Ｔｔｏｐ、後続パルス幅Ｔｍｐをそれぞれ所定のＴｔｏｐ及び所定のＴｍｐとして記録パワーを変化させてテストデータを記録し、該テストデータを再生することで仮最適記録パワーを検出する手段と、前記Ｔｔｏｐを固定し、前記Ｔｍｐを所定範囲内で段階的に変化させるとともに前記光ディスクに照射されるエネルギが同一となるように前記仮最適記録パワーを変化させてテストデータを記録し、該テストデータを再生することで最適後続パルス幅を検出する手段と、前記最適後続パルス幅を固定し、前記Ｔｔｏｐを所定範囲内で段階的に変化させるとともに前記光ディスクに照射されるエネルギが同一となるように前記仮最適記録パワーを変化させてテストデータを記録し、該テストデータを再生することで最適先頭パルス幅を検出する手段と、前記最適先頭パルス幅及び前記最適後続パルス幅を固定し、記録パワーを変化させてテストデータを記録し該テストデータを再生することで最適記録パワーを検出する手段と、前記最適先頭パルス幅、前記最適後続パルス幅及び前記最適記録パワーを最適記録ストラテジとしてデータを記録する手段とを有することを特徴とする。
【０００９】
また、本発明は、光ディスクに応じた記録ストラテジでデータを記録する光ディスク装置であって、前記記録ストラテジを構成する複数のパラメータの中の先頭パルス幅Ｔｔｏｐ、後続パルス幅Ｔｍｐをそれぞれ所定のＴｔｏｐ及び所定のＴｍｐとして記録パワーを変化させてテストデータを記録し、該テストデータを再生することで仮最適記録パワーを検出する手段と、前記Ｔｍｐを固定し、前記Ｔｔｏｐを所定範囲内で段階的に変化させるとともに前記光ディスクに照射されるエネルギが同一となるように前記仮最適記録パワーを変化させてテストデータを記録し、該テストデータを再生することで最適先頭パルス幅を検出する手段と、前記最適先頭パルス幅を固定し、前記Ｔｍｐを所定範囲内で段階的に変化させるとともに前記光ディスクに照射されるエネルギが同一となるように前記仮最適記録パワーを変化させてテストデータを記録し、該テストデータを再生することで最適後続パルス幅を検出する手段と、前記最適先頭パルス幅及び前記最適後続パルス幅を固定し、記録パワーを変化させてテストデータを記録し、該テストデータを再生することで最適記録パワーを検出する手段と、前記最適先頭パルス幅、前記最適後続パルス幅及び前記最適記録パワーを最適記録ストラテジとしてデータを記録する手段とを有することを特徴とする。
【発明の効果】
【００１０】
本発明によれば、先頭パルス幅と後続パルス幅の組合せでテストデータを記録する際に、一方を固定し他方を変化させて最適化する処理を実行するとともに、各組合せにおける照射エネルギが同一となるように仮最適記録パワーを変化させて記録するので、効率的にかつ高精度に最適記録ストラテジを探索することができる。
【発明を実施するための最良の形態】
【００１１】
以下、図面に基づき本発明の実施形態について説明する。
【００１２】
図１に、本実施形態に係る光ディスク装置の全体構成図を示す。ＤＶＤ−ＲやＤＶＤ−ＲＷ等の光ディスク１０はスピンドルモータ（ＳＰＭ）１２により回転駆動される。スピンドルモータＳＰＭ１２は、ドライバ１４で駆動され、ドライバ１４はサーボプロセッサ３０により所望の回転速度となるようにサーボ制御される。
【００１３】
光ピックアップ１６は、レーザ光を光ディスク１０に照射するためのレーザダイオード（ＬＤ）や光ディスク１０からの反射光を受光して電気信号に変換するフォトディテクタ（ＰＤ）を含み、光ディスク１０に対向配置される。光ピックアップ１６はスレッドモータ１８により光ディスク１０の半径方向に駆動され、スレッドモータ１８はドライバ２０で駆動される。ドライバ２０は、ドライバ１４と同様にサーボプロセッサ３０によりサーボ制御される。また、光ピックアップ１６のＬＤはドライバ２２により駆動され、ドライバ２２はオートパワーコントロール回路（ＡＰＣ）２４により駆動電流が所望の値となるように制御される。ＡＰＣ２４は、光ディスク１０のテストエリア（ＰＣＡ）において実行されたＯＰＣ（Optimum Power Control）により選択された最適記録パワーとなるようにドライバ２２の駆動電流を制御する。ＯＰＣは、光ディスク１０のＰＣＡに記録パワーを複数段に変化させてテストデータを記録し、該テストデータを再生してその信号品質を評価し、所望の信号品質が得られる記録パワーを選択する処理である。信号品質には、β値やγ値、変調度、ジッタ等が用いられる。
【００１４】
光ディスク１０に記録されたデータを再生する際には、光ピックアップ１６のＬＤから再生パワーのレーザ光が照射され、その反射光がＰＤで電気信号に変換されて出力される。光ピックアップ１６からの再生信号はＲＦ回路２６に供給される。ＲＦ回路２６は、再生信号からフォーカスエラー信号やトラッキングエラー信号を生成し、サーボプロセッサ３０に供給する。サーボプロセッサ３０は、これらのエラー信号に基づいて光ピックアップ１６をサーボ制御し、光ピックアップ１６をオンフォーカス状態及びオントラック状態に維持する。また、ＲＦ回路２６は、再生信号をアドレスデコード回路２８に供給する。
【００１５】
アドレスデコード回路２８は、再生信号からアドレスデータを復調し、サーボプロセッサ３０やシステムコントローラ３２に供給する。
【００１６】
また、ＲＦ回路２６は、再生ＲＦ信号を２値化回路３４に供給する。２値化回路３４は、再生信号を２値化し、得られた変調信号をエンコード／デコード回路３６に供給する。エンコード／デコード回路３６では、２値化信号を復調及びエラー訂正して再生データを得、当該再生データをインターフェースＩ／Ｆ４０を介してパーソナルコンピュータなどのホスト装置に出力する。なお、再生データをホスト装置に出力する際には、エンコード／デコード回路３６はバッファメモリ３８に再生データを一旦蓄積した後に出力する。
【００１７】
光ディスク１０にデータを記録する際には、ホスト装置からの記録すべきデータはインターフェースＩ／Ｆ４０を介してエンコード／デコード回路３６に供給される。エンコード／デコード回路３６は、記録すべきデータをバッファメモリ３８に格納し、当該記録すべきデータをエンコードしてライトストラテジ回路４２に供給する。ライトストラテジ回路４２は、変調データを所定の記録ストラテジに従ってマルチパルス（パルストレーン）に変換し、記録データとしてドライバ２２に供給する。記録ストラテジを規定するパラメータは複数存在するが、本実施形態では上記の従来技術と同様に、マルチパルスにおける先頭パルスのパルス幅、後続パルスのパルス幅、及び記録パワーを用いる。記録ストラテジはＯＰＣ時に設定される。光ディスク１０に対応する記録ストラテジが予めシステムコントローラ３２の不揮発性メモリに記憶されている場合には当該記録ストラテジが最適記録ストラテジとして設定されるが、対応する記録ストラテジがメモリに存在しない場合には、システムコントローラ３２はＯＰＣ時に先頭パルス幅等を最適化して最適記録ストラテジを探索する。記録データによりパワー変調されたレーザ光は光ピックアップ１６のＬＤから照射されて光ディスク１０にデータが記録される。データの記録はパケット単位である。パケット単位でデータを記録した後、光ピックアップ１６は再生パワーのレーザ光を照射して当該記録データを再生し、ＲＦ回路２６に供給する。ＲＦ回路２６は再生信号を２値化回路３４に供給し、２値化された変調データはエンコード／デコード回路３６に供給される。エンコード／デコード回路３６は、変調データをデコードし、バッファメモリ３８に記憶されている記録データと照合する。ベリファイの結果はシステムコントローラ３２に供給される。
【００１８】
図２及び図３に、記録ストラテジにおいて着目するパラメータを示す。図２はデータ長３Ｔ（Ｔは基準データ長）に対応する記録ストラテジであり、図３はデータ長６Ｔに対応する記録ストラテジである。記録ストラテジとして先頭パルスのパルス幅Ｔｔｏｐ、後続パルスのパルス幅Ｔｍｐ及び記録パワーＰに着目し、これら３つのパラメータを光ディスクに応じて最適化する。図２において、データ長３Ｔは先頭パルスのみで記録し、データ長６Ｔは先頭パルス及び複数の後続パルスで記録する。記録ストラテジとしては、これら３つのパラメータの他にスペース長に依存した先頭パルスの立ち上がりタイミング等が存在するが、本願出願人は、記録ストラテジを構成する複数のパラメータのうち、先頭パルス幅、後続パルス幅、記録パワーの３つのパラメータを調整することで、再生可能なデータ記録を行うことが可能であることを実験により確かめている。以下、本実施形態においてこれら３つのパラメータを最適化する方法について説明する。
【００１９】
まず、考え得るあらゆる光ディスクに対し、とり得る先頭パルス幅の範囲、及び後続パルス幅の範囲を等分、例えば五等分する。具体的には、先頭パルス幅の範囲を１．５００Ｔ〜１．７００Ｔ、後続パルス幅の範囲を０．６００Ｔ〜０．７００Ｔとし、それぞれの範囲を五等分する。
先頭パルス幅：
１．５００Ｔ、１．５５０Ｔ、１．６００Ｔ、１．６５０Ｔ、１．７００Ｔ
後続パルス幅：
０．６００Ｔ、０．６２５Ｔ、０．６５０Ｔ、０．６７５Ｔ、０．７００Ｔ
である。ＤＶＤ規格で定められているパルス幅の範囲をそのまま援用してもよい。
【００２０】
図４に、先頭パルス幅及び後続パルス幅のとり得る値の組み合わせを表形式で示す。先頭パルス幅５サンプル、後続パルス幅５サンプルの合計２５通りの組み合わせが得られる。図４において、各組み合わせを「条件ｉ」（ｉは１〜２５）として示している。例えば、「条件１３」は先頭パルス幅１．６００Ｔ、後続パルス幅０．６５０Ｔの条件である。
【００２１】
複数の条件を設定した後、条件ｉのうちの任意の条件を開始条件とし、その条件における最適記録パワーを探索する。例えば、条件１〜条件２５の中で中央の条件である条件１３を開始条件とし、条件１３で規定される先頭パルス幅及び後続パルス幅にて記録パワーを段階的に変化させて光ディスク１０のテストエリアにテストデータを記録し、該テストデータを再生して得られる再生信号品質、例えばβ値を評価することで、条件１３における最適記録パワーを探索する。なお、このようにして探索された最適記録パワーはあくまで条件１３での最適記録パワーであり、必ずしも最適記録ストラテジにおける最適記録パワーである保証はないことから、本実施形態においては「仮最適記録パワー」と称する。条件１３において仮最適記録パワーを探索した後、次に先頭パルス幅及び後続パルス幅の最適探索アルゴリズムに移行する。
【００２２】
先頭パルス幅及び後続パルス幅の最適探索アルゴリズムは、以下の２つのステップから構成される。第１に、先頭パルス幅を固定して後続パルス幅を変化させて最適後続パルス幅を探索するステップであり、第２に後続パルス幅を最適後続パルス幅に固定し、先頭パルス幅を変化させて最適先頭パルス幅を探索するステップである。図４において、第１のステップは条件１３から出発して横方向、即ち条件１１、条件１２、条件１４、条件１５と変化させて後続パルス幅の最適値を探索するものであり、第２のステップは縦方向に条件を変化させて最適先頭パルス幅を探索するステップである。
【００２３】
ここで、条件を変化させる際に、仮最適記録パワーも同時に変化させる。これは、先頭パルス幅あるいは後続パルス幅の値が変化すると、照射パワーが固定値のままとすると光ディスクに照射されるエネルギが変化し、テストデータを再生して得られる再生信号品質の変化が、条件を変化させたことにより生じたものであるのか、あるいは照射エネルギが変化したことにより生じたものであるのかを識別することができないからである。本実施形態においては、このような事情に鑑み、条件を変化させると共に光ディスクに照射する記録パワーも変化させて光ディスクに照射するエネルギを条件間で同一に維持する。具体的には、照射エネルギは記録パワー×照射時間で決定されるから、ある条件から別の条件に変化させる際、その条件変化に伴う時間変化を補償するように記録パワーを変化させればよい。記録パワーの変化については更に後述する。
【００２４】
図５に、第１のステップ、すなわち後続パルス幅の最適化処理（Ｔｍｐ決定フロー）を示す。システムコントローラ３２は、条件１３を開始条件とし、条件１３で規定される先頭パルス幅１．６００Ｔ及び後続パルス幅０．６５０Ｔにて光ディスク１０のテストエリアに記録パワーを段階的に変化させて記録し、該テストデータを再生して各記録パワー毎にβ値を算出する。各記録パワー毎のβ値を予めメモリに記憶された目標β値と比較し、目標β値に最も近いβ値が得られる記録パワーを仮最適記録パワーとする。
【００２５】
条件１３における仮最適記録パワーを検出したのち、条件１３及び仮最適記録パワーでテストデータを再度１ＥＣＣブロック分記録し、該テストデータを再生してそのジッタ量を測定する。条件１３及び仮最適記録パワーでテストデータを記録して得られるジッタ量を「１３Ｊ」とする。仮最適記録パワーを検出する際に記録されたテストデータを再生してそのジッタ量を測定してもよい。これにより、条件１３及び仮最適記録パワーでのテストデータ再記録処理を省略することができる。
【００２６】
条件１３及び仮最適記録パワーでのジッタ量「１３Ｊ」を測定した後、次に条件１２で規定される先頭パルス幅および後続パルス幅でテストデータを１ＥＣＣブロック分記録する。条件１２の先頭パルス幅は条件１３の先頭パルス幅と同一である。後続パルス幅を変化させる際、記録パワーも仮最適記録パワーではなく、条件１２における照射エネルギが条件１３における照射エネルギと同一となるように仮最適記録パワーを変化させてテストデータを記録する。条件１２および変化後の仮最適記録パワーでテストデータを記録し、該テストデータを再生して得られるジッタ量を測定する。得られたジッタ量を「１２Ｊ」とする。
【００２７】
次に、条件１４で規定される先頭パルス幅および後続パルス幅でテストデータを記録する。この場合にも記録パワーは仮最適記録パワーではなく、条件１４における照射エネルギと条件１３における照射エネルギが同一となるように仮最適記録パワーを変化させて記録する。条件１４及び変化後の仮最適記録パワーでテストデータを記録し、該テストデータを再生してジッタ量を測定する。得られたジッタ量を「１４Ｊ」とする。条件１３、条件１３の両隣の条件１２及び条件１４のジッタ量１２Ｊ、１３Ｊ、１４Ｊを測定した後、これら３つのジッタ量の大小比較を行う。１２Ｊ、１３Ｊ、１４Ｊの中で１３Ｊが最も小さい、あるいはこれら３つのジッタ量がほぼ等しい値を示す場合には、開始条件である条件１３が最適の条件であるとし、条件１３で規定される後続パルス０．６５０Ｔを最適後続パルスとする。一方、１２Ｊ、１３Ｊ，１４Ｊの中で１２Ｊが最も小さい場合には、図４において条件１３から見て条件１２の方向に最適値が存在する可能性があることを意味するから、条件１１で規定される先頭パルス幅及び後続パルス幅でテストデータを記録する。この場合においても、条件１１における照射エネルギと条件１３における照射エネルギが同一となるように仮最適記録パワーを変化させる。条件１１及び変化後の仮最適記録パワーでテストデータを記録し、該テストデータを再生して得られるジッタ量を「１１Ｊ」とする。条件１１におけるジッタ量１１Ｊを測定した後、１１Ｊと１２Ｊを大小比較する。大小比較の結果、１１Ｊが１２Ｊより小さい場合、条件１１で規定される後続パルス幅０．６００Ｔを最適後続パルス幅とする。一方、１１Ｊが１２Ｊ以上である場合には、条件１２で規定される後続パルス幅０．６２５Ｔを最適後続パルス幅とする。また、１２Ｊ、１３Ｊ、１４Ｊの中で１４Ｊが最も小さい場合には、条件１３から見て条件１４の方向に最適値が存在することを意味するから、条件１５で規定される先頭パルス幅及び後続パルス幅でテストデータを記録する。この場合にも、条件１５の照射エネルギと条件１３の照射エネルギが同一となるように仮最適記録パワーを変化させる。条件１５及び変化後の仮最適記録パワーでテストデータを記録し、該テストデータを再生して得られるジッタ量を１５Ｊ」とする。条件１５におけるジッタ量１５Ｊを測定したのち、１４Ｊと１５Ｊの大小比較を行う。１５Ｊが１４Ｊより小さい場合、条件１５で規定される後続パルス幅０．７００Ｔを最適後続パルス幅とする。１５Ｊが１４Ｊ以上である場合、条件１４で規定される後続パルス幅０．６７５Ｔを最適後続パルス幅とする。以上の処理により、後続パルス幅の最適化が完了する。後続パルス幅の最適化は、最大４回のテストデータの記録で済むことになる。
【００２８】
図６に、第２のステップ、すなわち先頭パルス幅の最適化処理（Ｔｔｏｐ決定フロー）を示す。先頭パルス幅の最適化処理も上記の後続パルス幅最適化処理と同様であり、後続パルス幅最適処理で最適化された後続パルス幅の条件を中心として隣接条件でテストデータを記録してそのジッタ量を測定し、ジッタ量の大小比較を行って最適化探索の方向を決定する。図６に、図５の処理において条件１５が後続パルス幅の最適条件として決定された場合の処理を示す。まず、条件１５に隣接する条件１０で規定される先頭パルス幅及び後続パルス幅でテストデータを記録し、該テストデータを再生して得られるジッタ量を「１０Ｊ」とする。条件１０の後続パルス幅は条件１５の後続パルス幅と同一であり、先頭パルス幅が異なる。先頭パルス幅を変化させる際に、照射エネルギが同一となるように仮最適記録パワーを変化させることは云うまでもない。次に、条件２０で規定される先頭パルス幅及び後続パルス幅でテストデータを記録し、該テストデータを再生して得られるジッタ量を「２０Ｊ」とする。３つのジッタ量、１０Ｊ、１５Ｊ、２０Ｊを得た後、１０Ｊ、１５Ｊ、２０Ｊの大小比較を行う。１０Ｊ、１５Ｊ、２０Ｊの中で１５Ｊが最も小さい場合、条件１５で規定される先頭パルス幅１．６００Ｔを最適先頭パルス幅とする。一方、１０Ｊ、１５Ｊ、２０Ｊの中で１０Ｊが最も小さい場合、更に条件５で規定される先頭パルス幅及び後続パルス幅でテストデータを記録し、該テストデータを再生して得られるジッタ量「５Ｊ」を１０Ｊと大小比較する。条件５あるいは条件１０のうち、より小さいジッタ量が得られる条件の先頭パルス幅を最適先頭パルス幅とする。また、１０Ｊ、１５Ｊ、２０Ｊの中で２０Ｊが最も小さい場合、更に条件２５で規定される先頭パルス幅及び後続パルス幅でテストデータを記録し、該テストデータを再生して得られるジッタ量「２５Ｊ」を２０Ｊと大小比較する。条件２０あるいは条件２５のうち、より小さいジッタ量が得られる条件の先頭パルス幅を最適先頭パルス幅とする。以上の処理により、先頭パルス幅が最適化される。先頭パルス幅の最適化処理は、最大３回のテストデータ記録で済む。結局、最大７回のテストデータ記録で、先頭パルス幅及び後続パルス幅が共に最適化される。
【００２９】
最適先頭パルス幅及び最適後続パルス幅を探索した後、次に真の最適記録パワーを探索する。すなわち、最適先頭パルス幅及び最適後続パルス幅で記録パワーを段階的に変化させてテストデータを記録し、該テストデータのジッタ量が最小となる記録パワーを真の最適記録パワーとする。なお、最適先頭パルス幅及び最適後続パルス幅で規定される条件（例えば条件１５）の照射エネルギと、条件１３と仮最適記録パワーで照射されるエネルギが同一となるように真の最適記録パワーを算出することも可能であるが、開始条件である条件１３が最適条件である保証はないため、仮最適記録パワーを変化あるいは補正するのではなく、最適条件下において再度記録パワーの最適化を図るのが好適である。
【００３０】
このようにして、先頭パルス幅、後続パルス幅、記録パワーが短時間に、かつ少ないテストデータ記録回数で最適化され、光ディスク１０の最適記録ストラテジが設定される。
【００３１】
以下、条件を変えてテストデータを記録する際の仮最適記録パワーの変化方法について説明する。照射エネルギは、照射エネルギ＝照射記録パワー×時間で算出されるが、照射時間として全てのデータ長を対象とする他、３Ｔ〜５Ｔ、あるいは３Ｔ〜６Ｔなど出現頻度（割合）が所定値以上と高く、データ中に多く出現するデータ長の照射時間のみを採用することが効率的である。本実施形態においては、データ長が３Ｔ〜６Ｔの積算照射時間を用いて照射エネルギを算出する。
【００３２】
図７に、図４に示す条件毎の、データ長３Ｔ〜６Ｔの照射時間、つまり先頭パルス幅と後続パルス幅の積算を示す。たとえば、条件１３において、データ長３Ｔの照射時間（μｓ）は１．６、データ長４Ｔの照射時間は２．２５、データ長５Ｔの照射時間は３．５５、データ長６Ｔの照射時間は５．５であるので、データ長３Ｔ〜６Ｔの積算照射時間はこれらの合計の１２．９となる。また、条件１２において、データ長３Ｔの照射時間は１．６、データ長４Ｔの照射時間は２．２２５、データ長５Ｔの照射時間は３．４７５、データ長６Ｔの照射時間は５．３５であるので、データ長３Ｔ〜６Ｔの積算照射時間はこれらの合計の１２．６５である。従って、条件１２で規定される先頭パルス幅及び後続パルス幅でテストデータを記録する際には、条件１３における仮最適記録パワーＴ０に対し、
Ｐ１＝Ｐ０×１２．９／１２．６５
と変化させた記録パワーＰ１で記録すればよい。
【００３３】
同様に、条件１１でテストデータを記録する際には、
Ｐ１＝Ｐ０×１２．９／１２．４
と変化させた記録パワーＰ１で記録すればよい。システムコントローラ３２は、図７に示す各条件に対応するデータ長３Ｔ〜６Ｔの積算照射時間をメモリに記憶する。
【００３４】
このように、特定のデータ長の照射エネルギーが同一となるように各条件における照射記録パワーを変化させることで、先頭パルス幅及び後続パルス幅の最適化を効率的に行うことができる。
【００３５】
以上、本発明の実施形態について説明したが、本発明はこれに限らず種々の変更が可能である。
【００３６】
例えば、本実施形態においては、各条件でのテストデータの再生信号品質としてジッタ量を用いているが、エラーレートを用いて評価してもよい。
【００３７】
また、本実施形態において、条件１３を開始条件としているが、任意の条件から開始することができる。本願出願人は、ほぼ全ての光ディスクにおいて図４に示す条件１〜条件２５で網羅できることを確認している。また、図４に示す条件１〜条件２５のうち、ある種類（メーカ）の光ディスクは特に条件１、２、３、６、７、８近傍に最適条件が集中し、別の種類（メーカ）の光ディスクは特に条件１８、１９、２０、２３、２４、２５近傍に最適条件が集中することを確認している。従って、光ディスクの種類を検出し、種類に応じて条件１〜条件２５のうち探索すべき条件を更に限定してもよい。
【００３８】
また、本実施形態においては、まず後続パルス幅を最適化し、その後に先頭パルス幅を最適化しているが、先頭パルス幅を最適化した後に後続パルス幅を最適化してもよい。
【００３９】
さらに、本実施形態では、所定値以上の頻度（割合）で出現するデータ長として３Ｔ〜６Ｔを用いて仮最適記録パワーを変化させているが、３Ｔ〜４Ｔを用いてもよく、３Ｔをマルチパルスで記録する場合には３Ｔのみを用いることも可能である。
【図面の簡単な説明】
【００４０】
【図１】光ディスク装置の構成ブロック図である。
【図２】記録データ長３Ｔの記録ストラテジ説明図である。
【図３】記録データ長６Ｔの記録ストラテジ説明図である。
【図４】先頭パルス幅及び後続パルス幅の組み合わせ説明図である。
【図５】後続パルス幅の最適化アルゴリズムを示す説明図である。
【図６】先頭パルス幅の最適化アルゴリズムを示す説明図である。
【図７】仮最適記録パワーの変化方法を示す説明図である。
【符号の説明】
【００４１】
１０  光ディスク装置、１６  ピックアップ、３２  システムコントローラ、４２  ライトストラテジ回路。
【図１】
2006323884.tif 000003
【図２】
2006323884.tif 000004
【図３】
2006323884.tif 000005
【図４】
2006323884.tif 000006
【図５】
2006323884.tif 000007
【図６】
2006323884.tif 000008
【図７】
2006323884.tif 000009